(57)【要約】【課題】商業印刷物と新聞の両方に適応できる折畳装置において商業印刷物と新聞の搬送路を分離し両方の印刷物に適した搬送が可能な咥折装置を提供する。【解決手段】咥胴Ｄからの折帳Ｗをチョッパー折機構Ｆに搬送する第１搬送路１ＡとデリバリーファンＥに搬送する第２搬送路２Ａを設けた咥折装置の第１搬送路を、折帳を挟み咥胴の周面と等速で搬送可能な第１コンベヤー３Ａと第２コンベヤー４で形成した挟み搬送部３、第１コンベヤーの上流側を咥胴外周面側に延長し外周面に接触又は離隔する位置に変位可能な延長部３１Ａを設け、第２搬送路を、咥胴の外周面に巻き掛けると共に外周面から離れてデリバリーファンに向う放出部７３を設けた第３コンベヤー７と第３コンベヤーと折帳を挟んで搬送する第４コンベヤー８で形成し、第１搬送路の上流端又はその近傍に折帳の挟み搬送部への進入を可又は不可とするガイド板３０Ａを変位可能に設けた構成としている。【選択図】図１
2008127160.tif 000002
【特許請求の範囲】
【請求項１】
咥胴から解放された折帳をチョッパー折機構に向けて搬送する第１搬送路と、前記チョッパー折機構に向けずにデリバリーファンに搬送する第２搬送路とを設けた咥折装置において、
前記第１搬送路を、前記折帳を両者で挟み前記咥胴の周面速度と同じ速度で搬送可能に設けた第１コンベヤーと第２コンベヤーとで形成した挟み搬送部と、前記第１コンベヤーの折帳搬送方向における上流側を前記咥胴外周面側にオーバーハング状に延長した延長部とするとともに、当該延長部を前記咥胴の外周面に対して接触する位置と離隔する位置に変位可能に設け、また、前記第２搬送路を、前記咥胴の外周面に巻き掛けるとともに、当該咥胴の外周面から離れてデリバリーファンに向う放出部を設けた第３コンベヤーと、前記第３コンベヤーと前記折帳を挟んで搬送可能に設けた第４コンベヤーとで形成し、更に、前記第１搬送路の折帳搬送方向における上流端又はその近傍に、前記咥胴から解放された折帳の前記挟み搬送部への進入を可とする位置と進入を不可とする位置とに変位可能にガイド板を設けたことを特徴とする咥折装置。
【請求項２】
前記第２搬送路を形成するコンベヤーの前記折帳との接触面を前記第１搬送路を形成するコンベヤーの前記折帳との接触面より摩擦係数を小さくして設けたことを特徹とする、請求項１に記載の咥折装置。
【請求項３】
前記咥胴の軸方向と平行方向に位相を変えて前記第１コンベヤーの延長部と干渉しないように、且つ前記咥胴の回転方向における前記折帳の受領位置よりも下流位置から当該咥胴の回転方向における下流側に、長くとも前記第３コンベヤーの放出部の開始位置に至るまで、前記咥胴の外周面に沿って当該咥胴の外周面から予め定めた折帳の通過が可能な間隔を空けてペーパーガイドを配し、前記第１コンベヤーの延長部が前記咥胴の外周面に対して離隔する位置にあるときに、前記折帳を前記咥胴の外周面に沿って案内可能であるように設けたことを特徴とする、請求項１又は請求項２に記載の咥折装置。
【請求項４】
前記ペーパーガイドを前記折帳の第１搬送路への進入を許し得るように設けるとともに、前記ガイド板が前記折帳の挟み搬送部への進入を不可とする位置に変位したときに、前記ガイド板の折帳を前記第１搬送路へ案内する側の裏側が前記ペーパーガイドとともに前記折帳を前記咥胴の外周面に沿って案内可能であるように設けたことを特徴とする、請求項３に記載の咥折装置。
【発明の詳細な説明】
【技術分野】
【０００１】
本発明は、同一折畳装置の中で、印刷後乾燥機等により印刷面が完全に乾燥した状態で折畳装置に送られてきた書籍などの商業印刷物と、印刷後印刷面の乾燥が完全でない状態で折畳装置に送られてきた新聞等の印刷物の両方に選択的に適応できる咥折装置に関し、特に折帳をチョッパー折機構に向けて搬送する搬送路と、チョッパー折機構に向けずにデリバリーファンに搬送する搬送路の２つの搬送路を有する咥折装置に関するものである。
【背景技術】
【０００２】
図１０は特許文献１に公知技術として示された折畳装置Ａ３の概略構成図である。印刷後、連続紙Ｖは、ドラッグローラー９０、フォーマー９１、ローラー類９２、第１胴Ｂ１、第２胴Ｃ１を経て、第３胴Ｄ１では連続紙Ｖの走行方向と平行に一度折られ、更にこれと直角に一度折られた状態の折帳Ｗが形成される。折帳Ｗは、上側搬送ベルト９３と下側搬送ベルト９４とに挟み込まれてデリバリーファンＥに搬送される。一方、選択的に使用されるチョッパー折機構Ｆが第３胴Ｄ１とデリバリーファンＥの途中に配設され、折帳Ｗはチョッパー折機構Ｆで連続紙Ｖの走行方向と平行にもう一度折られた後、デリバリーファンＥ１に搬送される。
【０００３】
図１１は特許文献２に公知技術として示された折畳装置Ａ４の概略構成図である。印刷後、連続紙Ｖは図１０と同じように、第３胴Ｄ１では折帳Ｗが形成される。折帳Ｗは、２方向に分岐された搬送経路のどちらかを選択して搬送される。一方向は、搬送装置９５でチョッパー折機構Ｆに向けて搬送され、他方向は、チョッパー折機構Ｆに向わずにデリバリーファンＥに向けて搬送される。
【０００４】
図１２は特許文献３に公知技術として示された折畳装置の搬送装置９６の概略構成図である。印刷後、連続紙Ｖは図１０と同じように、第３胴Ｄ１では折帳Ｗが形成される。折帳Ｗは、ペーパーガイド９６１に引き続いて、ガイドベルト手段９６２とガイド板９６３に案内され、更に、搬送ベルト手段９６４によって搬送される。
【０００５】
図１３は特許文献４に示された折畳装置の搬送装置９７の概略構成図である。印刷後、連続紙Ｖは図１０と同じように、第３胴Ｄ１では折帳Ｗが形成される。折帳Ｗは、第３胴Ｄ１の外周面に沿って第３胴Ｄ１の外周面から予め定めた折帳の通過が可能な間隔を空けて設けられたペーパーガイド９７１に案内され、ベルト手段９７２で図示しないデリバリーファンＥに搬送される。
【特許文献１】特開昭５７−１８９９５７号公報
【特許文献２】実開昭６２−１７９２６１号全文明細書
【特許文献３】実開昭６１−９２６７２号全文明細書
【特許文献４】特許第３４１５１１５号公報
【発明の開示】
【発明が解決しようとする課題】
【０００６】
印刷面が完全に乾燥した状態で折畳装置に送られてくる書籍などの商業印刷物（以下、商業印刷物という）と印刷面の乾燥が完全でない状態で折畳装置に送られてくる新聞等の印刷物（以下、新聞という）の両方に適応できる輪転機の折畳装置には、商業印刷物と新聞の両方ともに高品質であることが要求されている。
【０００７】
図１０に示すような折畳装置Ａ３は、すべての折帳Ｗがチョッパー折機構Ｆの使用、不使用に拘らず、同一の上側搬送ベルト９３と下側搬送ベルト９４で折帳Ｗを挟んで搬送される。ここで、確実に折帳Ｗを搬送するために搬送ベルト９３、９４の挟む力を強くした場合には、印刷面の乾燥が完全でない状態の新聞の印刷面が汚れる不具合が生じた。一方、搬送ベルト９３、９４の挟む力を弱くした場合には、折帳Ｗにずれや曲がりが生じ、走行方向と平行にもう一度折るチョッパー折機構Ｆを使用する商業印刷物の折精度が悪くなる不具合が生じた。このように、搬送ベルト９３、９４の折帳Ｗを挟む力を一方の印刷物に最適にすると、他方の印刷物に問題が生じた。また、折帳Ｗを挟む力を両方の印刷物に適するように調整することは出来なかった。
【０００８】
この課題を解決するために、チョッパー折機構Ｆを使用する搬送路とチョッパー折機構Ｆを使用しない搬送路の２つの搬送路を設けた折畳装置、例えば図１１に示すような折畳装置Ａ４が有り、それぞれの搬送路に備える搬送装置の一例として図１２の搬送装置９６及び図１３の搬送装置９７が有る。
【０００９】
しかし、図１２、図１３に示すこれらの搬送装置９６、９７は前記搬送路毎に適応したものであり、２つの搬送路を有する、例えば図１１に示すような折畳装置Ａ４に適応したものではない。
【００１０】
本発明の目的は、商業印刷物と新聞の両方に適応できる折畳装置において商業印刷物と新聞の搬送路を分離し、両方の印刷物に適した搬送が可能な咥折装置を提供するものである。
【課題を解決するための手段】
【００１１】
本発明は、前記従来技術が抱えていた課題を解決するために、前記特許請求の範囲に記載した構成を提供するものである。
【００１２】
具体的には、本発明の請求項１に記載の咥折装置は、
咥胴から解放された折帳をチョッパー折機構に向けて搬送する第１搬送路と、前記チョッパー折機構に向けずにデリバリーファンに搬送する第２搬送路とを設けた咥折装置において、
前記第１搬送路を、前記折帳を両者で挟み前記咥胴の周面速度と同じ速度で搬送可能に設けた第１コンベヤーと第２コンベヤーとで形成した挟み搬送部と、前記第１コンベヤーの折帳搬送方向における上流側を前記咥胴外周面側にオーバーハング状に延長した延長部とするとともに、当該延長部を前記咥胴の外周面に対して接触する位置と離隔する位置に変位可能に設け、また、前記第２搬送路を、前記咥胴の外周面に巻き掛けるとともに、当該咥胴の外周面から離れてデリバリーファンに向う放出部を設けた第３コンベヤーと、前記第３コンベヤーと前記折帳を挟んで搬送可能に設けた第４コンベヤーとで形成し、更に、前記第１搬送路の折帳搬送方向における上流端又はその近傍に、前記咥胴から解放された折帳の前記挟み搬送部への進入を可とする位置と進入を不可とする位置とに変位可能にガイド板を設けたことを特徴としている。
【００１３】
咥胴から解放された商業印刷物の折帳は、ガイド板により折帳の挟み搬送部への進入を可能とされ、咥胴を強く押圧した第１コンベヤーの延長部のベルトによりガイド板の上面に沿って挟み搬送部に搬送され、この挟み搬送部で第１コンベヤーのベルトと第２コンベヤーのベルトとで強く挟まれてチョッパー折機構へ搬送される。その結果、商業印刷物の折帳にずれや曲がり等が生じないため、チョッパー折精度が向上する。また、印刷面が完全に乾燥した状態の商業印刷物の印刷面は、第１及び第２コンベヤーのベルトで強く挟まれても汚れが生じない。
【００１４】
一方、咥胴から解放された新聞の折帳は、ガイド板により折帳の挟み搬送部への進入を不可とされ、咥胴の外周面から離れてデリバリーファンに向かう放出路を設けた第３コンベアのベルトと第４コンベアのベルトとにより印刷面が汚れない程度の強さで挟まれ、デリバリーファンに送られる。その結果、印刷面の乾燥が完全でない状態の新聞の印刷面に汚れが生じない。また、折帳の多少のずれや曲がり等は、第３コンベヤーと第４コンベヤーからデリバリーファンへの落下部分で修正される。
【００１５】
また、本発明の請求項２に記載の咥折装置は、請求項１に記載の咥折装置において、
前記第２搬送路を形成するコンベヤーの前記折帳との接触面を前記第１搬送路を形成するコンベヤーの前記折帳との接触面より摩擦係数を小さくして設けたことを特徹としている。
【００１６】
新聞を搬送する第２搬送路の第３コンベアと第４コンベアのベルトの折帳との接触面を、商業印刷物を搬送する第１搬送路の第１コンベアと第２コンベアのベルトの折帳との接触面より摩擦係数を小さくして、印刷面の乾燥が完全でない状態の新聞の印刷面の汚れを防止する。
【００１７】
また、本発明の請求項３に記載の咥折装置は、請求項１又は請求項２に記載の咥折装置において、
前記咥胴の軸方向と平行方向に位相を変えて前記第１コンベヤーの延長部と干渉しないように、且つ前記咥胴の回転方向における前記折帳の受領位置よりも下流位置から当該咥胴の回転方向における下流側に、長くとも前記第３コンベヤーの放出部の開始位置に至るまで、前記咥胴の外周面に沿って当該咥胴の外周面から予め定めた折帳の通過が可能な間隔を空けてペーパーガイドを配し、前記第１コンベヤーの延長部が前記咥胴の外周面に対して離隔する位置にあるときに、前記折帳を前記咥胴の外周面に沿って案内可能であるように設けたことを特徴としている。
【００１８】
印刷面の乾燥が完全でない状態の新聞の折帳は、咥胴と隙間を有するペーパーガイド及びガイド板の裏面で案内され、第３コンベヤーのベルトと第４コンベヤーのベルトにより印刷面が汚れない程度の強さで挟まれ、デリバリーファンに送られる。その結果、印刷面の乾燥が完全でない状態の新聞の印刷面の汚れが防止される。また、新聞の折帳の多少のずれや曲がり等は、第３コンベヤーと第４コンベヤーからデリバリーファンへの落下部分で修正される。
【００１９】
また、本発明の請求項４に記載の咥折装置は、請求項３に記載の咥折装置において、
前記ペーパーガイドを前記折帳の第１搬送路への進入を許し得るように設けるとともに、前記ガイド板が前記折帳の挟み搬送部への進入を不可とする位置に変位したときに、前記ガイド板の折帳を前記第１搬送路へ案内する側の裏側が前記ペーパーガイドとともに前記折帳を前記咥胴の外周面に沿って案内可能であるように設けたことを特徴としている。
【００２０】
咥胴から解放された商業印刷物の折帳は、ペーパーガイドを折帳の挟み搬送部の第１搬送路への進入を許容する位置に変位させたときに第１コンベヤーの延長部のベルトによりガイド板の上面に沿って挟み搬送部に搬送され、挟み搬送部で第１コンベヤーのベルトと第２コンベヤーのベルトとで強く挟まれてチョッパー折機構へ搬送される。その結果、商業印刷物の折帳にずれや曲がり等が生じないため、チョッパー折精度が向上する。また、印刷面が完全に乾燥した状態の商業印刷物の印刷面は、第１及び第２コンベヤーのベルトで強く挟まれても汚れが生じない。
【００２１】
一方、咥胴から解放された新聞の折帳は、ペーパーガイドを折帳の第１搬送路への進入を不可とする位置に変位させたときにガイド板の裏側とペーパーガイドとにより咥胴の外周面に沿って案内され、第３コンベア及び第４コンベアのベルトにより印刷面が汚れない程度の強さで挟まれてデリバリーファンに送られる。その結果、印刷面の乾燥が完全でない状態の新聞の印刷面に汚れが生じない。また、折帳の多少のずれや曲がり等は、第３及び第４コンベヤーからデリバリーファンへの落下部分で修正される。
【００２２】
なお、好ましくは、第２コンベヤーのローラーを第４コンベヤーのローラーの外径より大きく設けることで、商業印刷物の折帳が挟み搬送部に挟み込まれるときに当該折帳の搬送方向と逆方向に回転する第４コンベヤーのローラー及びベルトに接触すること無く、第１コンベヤーのベルトと第２コンベヤーのベルトとで強く挟まれて、咥胴からチョッパー折機構へ搬送される。
【００２３】
また、好ましくは、第２搬送路を形成する第３及び第４コンベアのベルトの新聞の折帳との接触面をフッ素樹脂とすることで、印刷面の乾燥が完全でない状態の新聞の印刷面の汚れをより効果的に防止すること可能となる。
【００２４】
また、好ましくは、第２搬送路を形成する第３及び第４コンベアのベルトの摩擦係数を０．１〜０．１５とし、第１搬送路を形成する第１及び第２コンベアのベルト摩擦係数を０．３〜０．４とすることで、第３及び第４コンベヤーのベルトによる印刷面の乾燥が完全でない状態の新聞の印刷面の汚れを有効に防止して搬送することが可能となり、また、第１及び第２コンベヤーのベルトによる印刷面が完全に乾燥した状態の商業印刷物を良好に搬送することが可能となる。
【発明の効果】
【００２５】
本発明の請求項１にかかる咥折装置は、ガイド板により咥胴から解放された商業印刷物の折帳の挟み搬送部への進入を可として第１コンベヤーのベルトと第２コンベヤーのベルトとで強く挟まれてチョッパーへ搬送されることで、商業印刷物の折帳にずれや曲がりが生じないため、チョッパー折精度が向上する。また、印刷面が完全に乾燥した状態の商業印刷物の印刷面は、第１及び第２コンベヤーのベルトで強く挟まれても汚れが生じない。
【００２６】
また、咥胴から解放された新聞の折帳は、ガイド板により折帳の挟み搬送部への進入を不可として咥胴の外周面から離れてデリバリーファンに向かう放出路を設けた第３及び第４コンベアのベルトにより印刷面が汚れない程度の強さで挟まれ、デリバリーファンに送られるため、印刷面の乾燥が完全でない状態の新聞の印刷面に汚れを防止することができる。また、折帳の多少のずれ、曲がりは、第３コンベヤーと第４コンベヤーからデリバリーファンへの落下部分で修正される。
【００２７】
また、一台の咥折装置において非常に簡単な切り換え手段により商業印刷物の折帳と新聞の折帳を別経路に変更し、それぞれの経路で商業印刷物と新聞の折帳が搬送され、印刷面が完全に乾燥した状態の商業印刷物及び印刷面の乾燥が完全でない状態の新聞の両方の印刷物の品質を良好に維持することができる。
【００２８】
また、本発明の請求項２にかかる咥折装置は、新聞を搬送する第２搬送路の第３コンベアと第４コンベアのベルトの折帳との接触面を、商業印刷物を搬送する第１搬送路の第１コンベアと第２コンベアのベルトの折帳との接触面より摩擦係数を小さくすることで、印刷面の乾燥が完全でない状態の新聞の印刷面の汚れを防止することができると共に、印刷面が完全に乾燥した状態の商業印刷物の折帳を良好に搬送することが可能となる。
【００２９】
また、本発明の請求項３にかかる咥折装置は、印刷面の乾燥が完全でない状態の新聞の折帳を咥胴と隙間を有するペーパーガイド及びガイド板の裏面で案内して第３コンベヤーのベルトと第４コンベヤーのベルトにより印刷面が汚れない程度の強さで挟みデリバリーファンに送ることで、印刷面の乾燥が完全でない状態の印刷面の汚れを防止することができる。また、折帳の多少のずれや曲がり等は、第３コンベヤーと第４コンベヤーからデリバリーファンへの落下部分で修正される。
【００３０】
また、本発明の請求項４にかかる咥折装置は、咥胴から解放された商業印刷物の折帳をガイド板の上面に沿って挟み搬送部に搬送して挟み搬送部で第１コンベヤーのベルトと第２コンベヤーのベルトとで強く挟まれてチョッパー折機構へ搬送することで、商業印刷物の折帳のずれや曲がりを防止することができ、チョッパー折精度が向上する。また、印刷面が完全に乾燥した状態の商業印刷物の印刷面は、第１及び第２コンベヤーのベルトで強く挟まれても汚れが生じることがない。
【００３１】
また、咥胴から解放された新聞の折帳は、ガイド板の裏側とペーパーガイドとにより咥胴の外周面に沿って案内されて第３コンベア及び第４コンベアのベルトにより印刷面が汚れない程度の強さで挟まれてデリバリーファンに送られることで、印刷面の汚れを防止することができる。また、折帳の多少のずれや曲がり等は、第３及び第４コンベヤーからデリバリーファンへの落下部分で修正される。
【発明を実施するための最良の形態】
【００３２】
次に、本発明に係る実施の形態を図面を参照して説明する。
【００３３】
本発明は、図１及至図９に示すように、同一の折畳装置Ａ１又はＡ２内に、折帳Ｗ１を咥胴Ｄからチョッパー折機構Ｆに向けて搬送する第１搬送路１Ａ又は１Ｂと、折帳Ｗ２を咥胴ＤからデリバリーファンＥに向けて搬送する第２搬送路２Ａ又は２Ｂを設けた。
【００３４】
尚、折帳Ｗを区分して、折帳Ｗ１は印刷面が完全に乾燥した状態である商業印刷物を、折帳Ｗ２は印刷面の乾燥が完全でない状態である新聞を示す。
【００３５】
本発明に係る実施の一形態である折畳装置Ａ１の第１搬送路１Ａ及び第２搬送路２Ａの構成を説明する。この第１搬送路１Ａ及び第２搬送路２Ａは、図１に示すように、第１コンベヤー３Ａ、第２コンベヤー４、ペーパーガイド手段５Ａ、コンベヤー着脱手段６、第３コンベヤー７及び第４コンベヤー８を備える。
【００３６】
第１コンベヤー３Ａは、図１、図３及び図６に示すように、折帳搬送方向における上流側を咥胴Ｄ外周面側にオーバーハング状に延長された延長部３１Ａを設け、図示しない駆動源から駆動される軸３４に複数のローラー３２ａと複数のローラー３６ａと軸３４を中心として旋回移動が可能であるようにアーム３５、３５の一端が取付られている。チョッパー折機構Ｆに向けてベルト３７がローラー３６ａと複数のローラー３６ｂとに掛け渡されており、前記延長部３１Ａは、アーム３５の他端に複数のローラー３２ｂが、アーム３５の中間部に複数のローラー３２ｃがそれぞれ軸３８、３９を介して回転可能に取付けられており、ローラー３２ａ、３２ｂ、３２ｃにベルト３３が掛け渡されている。更に、アーム３５にはローラー３２ａの近傍にガイド板３０Ａが取付けられている。
【００３７】
第２コンベヤー４は、図１及び図６に示すように、折帳Ｗ１を挟み込むように第１コンベヤー３Ａの下方に設けられ、軸４３に複数のローラー４１ａが取付られ、ベルト４２がローラー４１ａと複数のローラー４１ｂとに掛け渡され、図示しない駆動源から駆動されている。
【００３８】
ペーパーガイド手段５Ａは、図４及び図７に示すように、ペーパーガイド５１とフレームＨに固定されているブラケット５２、ブラケット５３を有し、折帳Ｗ２を第２搬送路２Ａで搬送するときに取付け、ペーパーガイド５１と咥胴Ｄの外周面とは折帳Ｗ２が咥胴Ｄの外周面に沿って案内可能である間隙を有する。
【００３９】
コンベヤー着脱手段６は、図３及び図６、図７に示すように、前記アーム３５の中間部に軸６２が固定され、軸６２にはエアーシリンダー６１のロッド側先端部が角変位可能に取付けられ、エアーシリンダー６１の他端はステーＧに固定されているブラケット６４に軸６３を介して角変位可能に取付けられている。
【００４０】
第３コンベヤー７は、図７に示すように、複数のローラー７１と咥胴Ｄの外周に沿って掛け渡されているベルト７２を有する。ベルト７２は咥胴Ｄに連れ回りする。尚、ベルト７２が咥胴Ｄの外周から離れる位置から折帳Ｗ２を放出する位置までを放出部７３とする。
【００４１】
第４コンベヤー８は、図７に示すように、第３コンベヤー７と折帳Ｗ２を挟み込んで搬送するように設けられ、前記第２コンベヤー４の軸４３に複数のローラー８１ａが取付けられ、ベルト８２がローラー８１ａと複数のローラー８１ｂに掛け渡され、図示しない駆動源から駆動される。ローラー８１ａの外径は前記第２コンベヤー４のローラー４１ａの外径より小さく設けてある。
【００４２】
ここで、折畳装置Ａ１の第１搬送路１Ａ及び第２搬送路２Ａの作用について説明する。連続紙Ｖは、図１に示すように、印刷後、折畳装置Ａ１に導入され、図示しないドラッグローラー、フォーマー、ローラー類及び鋸胴Ｂ、折胴Ｃを経て、咥胴Ｄでは、連続紙Ｖの走行方向と平行に一度折られ、更にこれと直角に一度折られた状態の折帳Ｗ（Ｗ１、Ｗ２）が形成される。
【００４３】
折帳Ｗ１をチョッパー折機構Ｆへ搬送する第１搬送路１Ａは、図６及び図１、図３に示すように、第１コンベヤー３Ａ（延長部３１Ａ、ガイド板３０Ａを含む）、第２コンベヤー４、コンベヤー着脱手段６を備える。稼動前に、コンベヤー着脱手段６のエアーシリンダー６１を伸長させ、軸６２を介して軸３４を中心としてアーム３５を下方に旋回移動させ、第１コンベヤー３Ａの延長部３１Ａのベルト３３を咥胴Ｄの外周に接触させて巻き付けるとともにガイド板３０Ａの先端が咥胴Ｄの外周面より下がった位置にくるようにする。このとき、ペーパーガイド手段５Ａのペーパーガイド５１が取り付けられていた場合（図７参照）には、ブラケット５２、５３から取り外す。稼動中は、商業印刷物の折帳Ｗ１は、咥胴Ｄを強く押圧したベルト３３によりガイド板３０Ａの上面に沿って挟み搬送部３に搬送され、軸４３に取付けられている第２コンベヤー４のローラー４１ａが第４コンベヤー８のローラー８１ａの外径より大きく設けてあるため、折帳Ｗ１が挟み搬送部３に挟み込まれるときに、折帳Ｗ１の搬送方向と逆方向に回転する第４コンベヤー８のローラー８１ａ及びベルト８２に接触すること無く、第１コンベヤー３Ａのベルト３７と第２コンベヤー４のベルト４２とで強く挟まれて、咥胴Ｄからチョッパー折機構Ｆへ搬送される。
【００４４】
折帳Ｗ２をチョッパー折機構Ｆへ搬送せずにデリバリーファンＥへ搬送する第２搬送路２Ａは、図７、図４及び図１、図３に示すように、ペーパーガイド手段５Ａ、第３コンベヤー７及び第４コンベヤー８を備える。稼動前に、コンベヤー着脱手段６のエアーシリンダー６１を縮退させ、軸６２を介して軸３４を中心としてアーム３５を上方に旋回移動させ、第１コンベヤー３Ａの延長部３１Ａのベルト３３とガイド板３０Ａを咥胴Ｄから離脱させた後、ペーパーガイド手段５Ａのブラケット５２、ブラケット５３にペーパーガイド５１を取付ける。稼動中は、新聞の折帳Ｗ２は、咥胴Ｄと隙間を有するペーパーガイド５１に案内され、更に、第３コンベヤー７のベルト７２と第４コンベヤー８のベルト８２とで印刷面の乾燥が完全でない状態である新聞の印刷面が汚れない程度の強さで挟まれ、デリバリーファンＥに送られる。
【００４５】
次に、本発明に係る実施の他形態である折畳装置Ａ２の第１搬送路１Ｂ及び第２搬送路２Ｂの構成を説明する。図２に示すように、第１コンベヤー３Ｂ、第２コンベヤー４、ペーパーガイド手段５Ｂ、コンベヤー着脱手段６、第３コンベヤー７及び第４コンベヤー８を備える。
【００４６】
第１コンベヤー３Ｂは、図２、図３及び図８に示すように、折帳搬送方向における上流側を咥胴Ｄ外周面側にオーバーハング状に延長された延長部３１Ｂを設け、図示しない駆動源から駆動される軸３４に複数のローラー３２ａと複数のローラー３６ａと軸３４を中心として旋回移動が可能であるようにアーム３５、３５の一端が取付られている。チョッパー折機構Ｆに向けてベルト３７がローラー３６ａと複数のローラー３６ｂとに掛け渡されており（図６参照）、前記延長部３１Ｂは、アーム３５の他端に複数のローラー３２ｂが、アーム３５の中間部に複数のローラー３２ｃがそれぞれ軸３８、３９を介して回転可能に取付けられており、ローラー３２ａ、３２ｂ、３２ｃにベルト３３が掛け渡されている。更に、アーム３５にローラー３２ａの近傍にガイド板３０Ｂが取付けられている。
【００４７】
ガイド板３０Ｂは、折帳Ｗ１を第１搬送路へ案内する側の裏側が、折帳Ｗ２を咥胴Ｄの外周面に沿って案内可能である形状を有する。
【００４８】
ペーパーガイド手段５Ｂは、図５及び図９に示すように、咥胴Ｄの軸方向と平行方向に位相を変えて第１コンベヤー３Ｂの延長部３１Ｂと干渉しないように設けられたペーパーガイド５４とペーパーガイド５５を有し、ペーパーガイド５４は折胴Ｃ側に設けられた図示しないブラケットに固定され、ペーパーガイド５５は第４コンベヤー８側に設けられた図示しないブラケットに固定されている。ペーパーガイド５４、５５と咥胴Ｄの外周面とは折帳Ｗが咥胴Ｄの外周面に沿って案内可能である間隙を有する。
【００４９】
第２コンベヤー４、コンベヤー着脱手段６、第３コンベヤー７、第４コンベヤー８は、前記折畳装置Ａ１の構成と同じである。
【００５０】
ここで、折畳装置Ａ２の第１搬送路１Ｂ及び第２搬送路２Ｂの作用について説明する。連続紙Ｖは、図２に示すように、折畳装置Ａ１と同じように、咥胴Ｄでは折帳Ｗ（Ｗ１、Ｗ２）が形成される。
【００５１】
折帳Ｗ１をチョッパー折機構Ｆへ搬送する第１搬送路１Ｂは、図８及び図２、図３に示すように、第１コンベヤー３Ｂ（延長部３１Ｂ、ガイド板３０Ｂを含む）、第２コンベヤー４、コンベヤー着脱手段６を備える。稼動前に、コンベヤー着脱手段６のエアーシリンダー６１を伸長させ、軸６２を介して軸３４を中心としてアーム３５を下方に旋回移動させ、第１コンベヤー３Ｂの延長部３１Ｂのベルト３３を咥胴Ｄの外周に接触させて巻き付けるとともにガイド板３０Ｂの先端が咥胴Ｄの外周面より下がった位置にくるようにする。稼動中は、商業印刷物の折帳Ｗ１は、咥胴Ｄを強く押圧したベルト３３によりガイド板３０Ｂの上面に沿って挟み搬送部３に搬送され、軸４３に取付けられている第２コンベヤー４のローラー４１ａが第４コンベヤー８のローラー８１ａの外径より大きく設けてあるため、折帳Ｗ１が挟み搬送部３に挟み込まれるときに折帳Ｗ１の搬送方向と逆方向に回転する第４コンベヤー８のローラー８１ａ及びベルト８２に接触すること無く、第１コンベヤー３Ｂのベルト３７と第２コンベヤー４のベルト４２とで強く挟まれて、咥胴Ｄからチョッパー折機構Ｆへ搬送される。
【００５２】
折帳Ｗ２をチョッパー折機構Ｆへ搬送せずにデリバリーファンＥへ搬送する第２搬送路２Ｂは、図９及び図２、図３、図５に示すように、ペーパーガイド手段５Ｂ、第３コンベヤー７及び第４コンベヤー８を備える。稼動前に、コンベヤー着脱手段６のエアーシリンダー６１を縮退させ、軸６２を介して軸３４を中心としてアーム３５を上方に旋回移動させ、第１コンベヤー３Ｂの延長部３１Ｂのベルト３３とガイド板３０Ｂを咥胴Ｄから離隔させる。稼動中は、新聞の折帳Ｗ２は、咥胴Ｄと隙間を有するペーパーガイド５４、ガイド板３０Ｂの下面及びペーパーガイド５５によって案内され、更に、第３コンベヤー７のベルト７２と第４コンベヤー８のベルト８２とで印刷面の乾燥が完全でない状態である新聞の印刷面が汚れない程度の強さで挟まれ、デリバリーファンＥに送られる。
【００５３】
また、第２搬送路２Ａ、２Ｂを形成する第３コンベヤー７のベルト７２、第４コンベヤー８のベルト８２の折帳Ｗ２との接触面を第１搬送路１Ａ、１Ｂを形成する第１コンベヤー３Ａ又は３Ｂのベルト３３、３７、第２コンベヤー４のベルト４２の折帳Ｗ１との接触面より摩擦係数を小さくして設けた。
【００５４】
出願人のテストによれば、第２搬送路２Ａ、２Ｂを形成するベルト７２、８２の摩擦係数は０．１〜０．１５が最適であり、第１搬送路１Ａ、１Ｂを形成するベルト３３、３７及び４２の摩擦係数は０．３〜０．４が下記の効果を得るのに最適であった。
【００５５】
更に、第２搬送路２Ａ、２Ｂを形成するベルト７２、８２の折帳Ｗ２との接触面はフッ素樹脂であることが望ましい。
【００５６】
上述したように、咥胴Ｄから解放された商業印刷物の折帳Ｗ１をチョッパー折機構Ｆに向けて搬送する第１搬送路１Ａ及び１Ｂと、新聞の折帳Ｗ２をチョッパー折機構Ｆに向けずにデリバリーファンＥに搬送する第２搬送路２Ａ及び２Ｂとを設けた咥折装置によれば、
折帳Ｗ１は、咥胴Ｄを強く押圧した第１コンベヤー３Ａ又は３Ｂの延長部３１Ａ又は３１Ｂのベルト３３によりガイド板３０Ａ又は３０Ｂの上面に沿って挟み搬送部３に搬送され、この挟み搬送部３で第１コンベヤー３Ａのベルト３７と第２コンベヤー４のベルト４２とで強く挟まれてチョッパー折機構Ｆへ搬送される。
【００５７】
その結果、折帳Ｗ１にずれや曲がりが生じないため、チョッパー折精度が向上する。また、印刷面が完全に乾燥した状態の商業印刷物の印刷面は、これらのベルト３３、３７、４２で強く挟まれても汚れが生じない。
【００５８】
一方、折帳Ｗ２は、咥胴Ｄと隙間を有するペーパーガイド手段５Ａ又は５Ｂのペーパーガイド５１又はペーパーガイド５４、５５及びガイド板３０Ｂの裏面で案内され、第３コンベヤー７のベルト７２と第４コンベヤー８のベルト８２とで印刷面が汚れない程度の強さで挟まれ、デリバリーファンＥに送られる。
【００５９】
その結果、印刷面の乾燥が完全でない状態の新聞の印刷面に汚れが生じない。また、折帳Ｗ２の多少のずれ、曲がりは、第３コンベヤー７と第４コンベヤー８からデリバリーファンＥへの落下部分で修正される。
【００６０】
更に、第２搬送路２Ａ及び２Ｂを形成するベルト７２、８２の折帳Ｗ２との接触面を第１搬送路１Ａ及び１Ｂを形成するベルト３３、３７、４２の折帳Ｗ１との接触面より摩擦係数を小さくして設けることにより、第２搬送路２Ａ及び２Ｂで新聞の印刷面に汚れを生じさせずに搬送でき、また逆に、摩擦係数が大きい第１搬送路１Ａ及び１Ｂで商業印刷物を確実に挟んで搬送でき、前記印刷面の汚れ防止とチョッパー折精度の向上に対する効果が増加する。
【００６１】
また、本発明の搬送路の切り換え方法は、本発明に係る実施の一形態では、ペーパーガイド手段５Ａのペーパーガイド５１を取り外し、第１コンベヤー３Ａの延長部３１Ａのベルト３３を咥胴Ｄの外周面に接触させ、ガイド板３０Ａの表面と、及び挟み搬送部３で第１搬送路１Ａを形成し、逆に、ベルト３３とガイド板３０Ａを咥胴Ｄから離隔し、ペーパーガイド３１を取付け、及び第３コンベヤー７と第４コンベヤー８で第２搬送路２Ａを形成する。
【００６２】
本発明に係る実施の他形態では、第１コンベヤー３Ｂの延長部３１Ｂのベルト３３を咥胴Ｄの外周面に接触させ、ガイド板３０Ｂの表面と、及び挟み搬送部３で第１搬送路１Ｂを形成し、ベルト３３とガイド板３０Ｂを咥胴Ｄから離隔し、このガイド板３０Ｂの裏面と固定ペーパーガイド５４，５５と、及び第３コンベヤー７と第４コンベヤー８で第２搬送路２Ｂを形成する。
【００６３】
以上説明した通り、咥胴から解放された折帳をチョッパー折機構に向けて搬送する第１搬送路と、チョッパー折機構に向けずにデリバリーファンに搬送する第２搬送路の２つの搬送路を有する本発明に係る折畳装置において、非常に簡単な切り換え方法で別経路に変更し、それぞれの経路で商業印刷物と新聞の折帳は搬送され、印刷面が完全に乾燥した状態の商業印刷物及び印刷面の乾燥が完全でない状態の新聞の両方の印刷物の品質が良好に維持できる効果が得られる。
【図面の簡単な説明】
【００６４】
【図１】本発明に係る実施の一形態である咥折装置の概略構成図である。
【図２】本発明に係る実施の他形態である咥折装置の概略構成図である。
【図３】本発明に係る図１、図２の咥折装置の概略平面図である。
【図４】本発明に係るペーパーガイド手段の図７のＸ矢視、概略平面図である。
【図５】本発明に係るペーパーガイド手段の図９のＹ−Ｙ矢視、概略平面図である。
【図６】本発明に係る図１の第１搬送路の形態を示す概略構成図である。
【図７】本発明に係る図１の第２搬送路の形態を示す概略構成図である。
【図８】本発明に係る図２の第１搬送路の形態を示す概略構成図である。
【図９】本発明に係る図２の第２搬送路の形態を示す概略構成図である。
【図１０】従来技術の折畳装置の実施の一形態を示す概略構成図である。
【図１１】従来技術の折畳装置の実施の他形態を示す概略構成図である。
【図１２】従来技術の折畳装置の搬送装置の実施の一形態を示す概略構成図である。
【図１３】従来技術の折畳装置の搬送装置の実施の他形態を示す概略構成図である。
【符号の説明】
【００６５】
Ａ１，Ａ２・・折畳装置（本発明）
Ａ３，Ａ４・・折畳装置（従来技術）
Ｂ・・鋸胴（本発明）
Ｂ１・・第１胴（従来技術）
Ｃ・・折胴（本発明）
Ｃ１・・第２胴（従来技術）
Ｄ・・咥胴（本発明）
Ｄ１・・第３胴（従来技術）
Ｅ，Ｅ１・・デリバリーファン
Ｆ・・チョッパー折機構
Ｇ・・ステー
Ｈ・・フレーム
Ｖ・・連続紙
Ｗ・・折帳（裁断紙）
Ｗ１・・商業印刷物の折帳
Ｗ２・・新聞の折帳
１Ａ，１Ｂ・・第１搬送路
２Ａ，２Ｂ・・第２搬送路
３・・挟み搬送部
３Ａ，３Ｂ・・第１コンベヤー
３０Ａ，３０Ｂ・・ガイド板
３１Ａ，３１Ｂ・・延長部
３２ａ，３２ｂ，３２ｃ・・ローラー
３３・・ベルト
３４・・軸
３５・・アーム
３６ａ，３６ｂ・・ローラー
３７・・ベルト
３８・・軸
３９・・軸
４・・第２コンベヤー
４１ａ，４１ｂ・・ローラー
４２・・ベルト
４３・・軸
５（５Ａ、５Ｂ）・・ペーパーガイド手段
５１・・ペーパーガイド
５２・・ブラケット
５３・・ブラケット
５４・・ペーパーガイド
５５・・ペーパーガイド
６    コンベヤー着脱手段
６１・・エアーシリンダー
６２・・軸
６３・・軸
６４・・ブラケット
７・・第３コンベヤー
７１・・ローラー
７２・・ベルト
７３・・放出部
８・・第４コンベヤー
８１ａ，８１ｂ・・ローラー
８２・・ベルト
９０・・ドラッグローラー
９１・・フォーマー
９２・・ローラー類
９３・・上側搬送ベルト
９４・・下側搬送ベルト
９５・・搬送装置
９６・・搬送装置
９６１・・ペーパーガイド
９６２・・ガイドベルト手段
９６３・・ガイド板
９６４・・搬送ベルト手段
９７・・搬送装置
９７１・・ペーパーガイド
９７２・・ベルト手段
【図１】
2008127160.tif 000003
【図２】
2008127160.tif 000004
【図３】
2008127160.tif 000005
【図４】
2008127160.tif 000006
【図５】
2008127160.tif 000007
【図６】
2008127160.tif 000008
【図７】
2008127160.tif 000009
【図８】
2008127160.tif 000010
【図９】
2008127160.tif 000011
【図１０】
2008127160.tif 000012
【図１１】
2008127160.tif 000013
【図１２】
2008127160.tif 000014
【図１３】
2008127160.tif 000015